(57)【要約】【課題】  コンパクトな構成であって、十分な通気性能が得られると共に、強風時における雨雪の小屋裏内等への進入を確実に阻止することができる通気材を提供することを課題とする。【解決手段】  一端面から他端面へ抜ける通気路２、３を縦横に連設して成る通気ブロックであって、通気路の孔径が大きいものの段４と、通気路の孔径が小さいものの段５とを含むことを特徴とする。好ましくは、通気路の孔径が大きいものの段４と、通気路の孔径が小さいものの段５とが交互に配置される。通気ブロックの内部に空間部９が形成されることがあり、この空間部９は、通気路の孔径が大きいものの段４を構成する段材４ａと、通気路の孔径が小さいものの段５を構成する段材５ａの各中央部に、空間部形成用開口９ａ、９ｂを設けることによって形成することができる。空間部９内にフィルターを装入することがある。【選択図】図２
2010053616.tif 000002
【特許請求の範囲】
【請求項１】
一端面から他端面へ抜ける通気路を縦横に連設して成る通気ブロックであって、前記通気路の孔径が大きいものの段と、前記通気路の孔径が小さいものの段とを含むことを特徴とする通気材。
【請求項２】
前記通気路の孔径が大きいものの段と、前記通気路の孔径が小さいものの段とを交互に配した、請求項１に記載の通気材。
【請求項３】
内部に空間部を設けた、請求項１又は２に記載の通気材。
【請求項４】
前記空間部内にフィルターを装入した、請求項３に記載の通気材。
【請求項５】
前記通気路の孔径が大きいものの段を構成する段材と、前記通気路の孔径が小さいものの段を構成する段材とを積層後、一体化して形成した、請求項１乃至４のいずれかに記載の通気材。
【請求項６】
前記通気路の孔径が大きいものの段を構成する段材と、前記通気路の孔径が小さいものの段を構成する段材の各中央部に、前記空間部を形成するための開口を設けた、請求項５に記載の通気材。
【請求項７】
前記通気路の孔径が小さいものの段を構成する段材の空間部形成用開口の幅寸法を、前記通気路の孔径が大きいものの段を構成する段材の空間部形成用開口の幅寸法よりも長くした、請求項６に記載の通気材。
【請求項８】
請求項１乃至７のいずれかに記載の通気材を一対、適宜間隔を置いて又は間隔を置くことなく連結し、山形に構成して成る通気材。
【発明の詳細な説明】
【技術分野】
【０００１】
本発明は、通気材、より詳細には、家屋の軒下、壁面の通気層入口、屋根面の棟部等に設置され、雨雪の進入を防止しつつその部分の換気を行なう通気材に関するものである。
【背景技術】
【０００２】
従来の通気材としては、例えば特許第２６１０３４２号公報に記載のものが知られている（図５参照）。それは、棟方向に開口する多数の通気路２３を設けた２枚の板状通気材２１、２２を逆Ｖ字形を呈するように連結したものである。
【０００３】
この構成の場合、強風雨時等に雨雪が通気路を通って屋根裏等に滴下することを防止するためには、各換気材の長さをかなり長いものとしなければならないが、通気路が長くなればなるだけ通気抵抗が増し、通気量の低下を招く。また、材料コストがかかり、重量が増すために施工時及び運搬時に取り扱いにくくなり、更に、その長さ分設置スペースも多く必要となるという問題もある。
【０００４】
この問題を解決するものとして、図６に示すような、山形を呈する上面板３１の幅方向両端部裏面に、それぞれ外側面Ａから内側面Ｂへと抜ける多数の通気路３４を縦横に連設した通気材３２、３３を設置し、前記各通気材３２、３３の下面に、そこから更に内方に延びる下面板３８を定着し、前記各下面板３８の内端部を、前記上面板３１との間に通気スペースを残して上方に折曲することにより水切り板３９を形成して成る棟換気装置が提唱されている（特開２００１−３２３６１９）。
【０００５】
この棟換気装置の場合は、吹き上げられてきた雨雪は、通気路３４を通過する際の通気抵抗によって勢いがそがれ、その殆どが下面板３８上に落ち、また、水切り板３９に当たって落ちるため、雨雪の小屋裏側への流入が阻止される。
【０００６】
しかるに、この棟換気装置の場合は、雨雪の進入を通気路３４を通過する際の抵抗によって阻止しようとするものであるため、当然のことながら通気路３４は、それ相応の狭さと長さとを兼ね備えたものとする必要がある。このことは反面、通気性能が落ちることを意味する。
【０００７】
更に、図７に示すような、複数の通気部材４０を空間４１を保持して配置し、その空間４１部分において、風と共に通気部材４０を通り抜けて進入してきた雨水を滴下させようとする構造体も提唱されている（特許第３２７７２３２号公報）。特許第３４６５００８号公報に記載の通気部材も、同様の考え方によるものである。
【０００８】
しかるに、これらの構成においては、各通気材の通気孔のサイズは均一であって、十分な通気性を確保しようとしてその孔径を大とする場合は、雨水や虫、塵埃等の進入を極力防止するために、通気路の長さをかなり長いものとする必要があり、結果として、通気材全体が長く且つ重いものとなるという問題が起こる。逆に、風、雨水、虫、塵埃等の通過抵抗を大にするために通気路の孔径を小さくすると、十分な通気性が得られないことになる。
【０００９】
【特許文献１】特許第２６１０３４２号公報
【特許文献２】特開２００１−３２３６１９号公報
【特許文献３】特許第３２７７２３２号公報
【特許文献４】特許第３４６５００８号公報
【発明の開示】
【発明が解決しようとする課題】
【００１０】
上述したように、従来の通気材並びに棟換気装置の場合は、十分な通気性能を確保するために通気路の孔径を拡げた場合には、吹き上げてくる雨雪の進入を阻止し切れなくなるおそれがあるため、通気路の広径化には限界があり、逆に、その孔径を狭めた場合には、その分通気性能が低下するという問題があった。
【００１１】
そこで本発明は、コンパクト且つ軽量な構成であって、十分な通気性能が得られると共に、強風時における雨雪の小屋裏内等への進入を確実に阻止することができる通気材を提供することを課題とする。
【課題を解決するための手段】
【００１２】
上記課題を解決するための請求項１に記載の発明は、一端面から他端面へ抜ける通気路を縦横に連設して成る通気ブロックであって、前記通気路の孔径が大きいものの段と、前記通気路の孔径が小さいものの段とを含むことを特徴とする通気材である。
【００１３】
好ましくは、前記通気路の孔径が大きいものの段と、前記通気路の孔径が小さいものの段とが交互に配置され、また、前記通気路の孔径が大きいものの段を構成する段材と、前記通気路の孔径が小さいものの段を構成する段材とを積層し、一体化して形成される。
【００１４】
一実施形態においては、内部に空間部が形成される。その場合、前記空間部内にフィルターを装入することもある。この空間部は、前記通気路の孔径が大きいものの段を構成する段材と、前記通気路の孔径が小さいものの段を構成する段材の各中央部に、空間部形成用開口を設けることによって形成することができる。その場合、前記通気路の孔径が小さいものの段を構成する段材の空間部形成用開口の幅寸法を、前記通気路の孔径が大きいものの段を構成する段材の空間部形成用開口の幅寸法よりも長くすることがある。
【００１５】
上記課題を解決するための請求項８に記載の発明は、上記通気材のいずれかを一対、適宜間隔を置いて又は間隔を置くことなく連結し、山形に構成して成る通気材である。
【発明の効果】
【００１６】
本発明に係る通気材は上記構成であって、通気路の孔径が大きいものの段と、通気路の孔径が小さいものの段とが含まれるため、通気路の孔径が大きいものの段によって十分な通気性能が確保され、また、通気路の孔径が小さいものの段によって、吹き込んでくる雨雪の勢いをそぐことができる。即ち、本発明に係る通気材には、十分な通気性能を確保し得ると共に、雨雪の進入を確実に防止し得る効果がある。
【００１７】
請求項３、４、６及び７に記載の発明においては更に、雨雪の吹込力が中間の空間部によって緩衝され、殊に空間部にフィルターを配した場合には緩衝力が増し、その分、通気路を長くする必要がなくなり、全体をコンパクトで軽量なものとすることが可能となり、材料コストを低減し得る効果がある。
【発明を実施するための最良の形態】
【００１８】
本発明の好ましい実施の形態を添付図面に依拠して説明する。図１は本発明に係る通気材１の構成例を示すものであり、そこに示されるように、通気材１は、一端面から他端面に抜ける、縦横に連設された多数の通気路２、３を有する通気ブロックである。通気路２と通気路３は孔径を異にし、通気路２の孔径は通気路３の孔径よりも大きく形成される。即ち、本発明に係る通気材１においては、通気路の孔径が大きいものの段（大孔径段４）と、通気路の孔径が小さいものの段（小孔径段５）とが含まれる。
【００１９】
例えば、大孔径段４の通気路２の孔径は３ｍｍ×５ｍｍとされ、小孔径段５の通気路３の孔径は２ｍｍ×５ｍｍとされる。好ましくは、図示したように、大孔径段４と小孔径段５とが交互に配置される。6は、最上段の小孔径段５（又は大孔径段４）の上面に定着される上面板であり、７は、最下段の小孔径段５（又は大孔径段４）の下面に定着される下面板である（図では上下が逆になっている）。上面板６及び下面板７には、例えば、樹脂製である大孔径段４構成用の段材４ａ又は小孔径段５構成用の段材５ａをそのまま用いることができる。
【００２０】
第２の実施形態においては、通気材１の内部に空間部９が形成される（図２参照）。この空間部９には、必要に応じてフィルターが装入される。フィルターとしては、通気を阻害しないように、粗目のものを用いることが好ましい。
【００２１】
図４は、通気材１を製造するための方法を示すもので、該方法は、大孔径段４構成用の段材４ａと小孔径段５構成用の段材５ａとを交互に重ね、全体を、上記特許文献に開示されているような、公知の熱溶断溶着等の方法で一体化するものである。段材４ａ、５ａにはそれぞれ、端部が閉じられた空間部形成用開口９ａ、９ｂが形成されていて、各開口９ａ、９ｂが合わさって空間部９が形成される。なお、各段材４ａ、５ａの中間部に、幅方向に延びるつなぎ材８が配置されることもある。
【００２２】
好ましい実施形態においては、開口９ａと開口９ｂのサイズが異なるように、即ち、段材５ａの開口９ｂの幅寸法を段材４ａの開口９ａの幅寸法よりも長くする。かくして、図２に示されるように、空間部９内において、大孔径段４構成用の段材４ａの通気開口部分が突出することになる。このように、小孔径段５よりも通気性の良い大孔径段４の通気路２の長さを長くすることで、空間部９内における流れを不規則なものとすることができ、以て、雨雪の通流をより良好に阻止することが可能となる。
【００２３】
更に他の実施形態においては、上記通気材１を一対、上面板６の端部同士を突き合わさて連結し（図５に示す形態）、あるいは、上記通気材１を一対適宜間隔を置いて配置し、一方の上面板６を延長した形で又は別の連結板を介して連結し（図６に示す形態）、それを山形にして棟換気用の通気材とされる。  
【００２４】
本発明に係る通気材１は、単独で壁面の通気層等に配置して用い、あるいは、２つの通気材１を山形に連結して棟換気材を構成し、棟開口部上に配置して用いる。
【００２５】
本発明に係る通気材１は上記構成であって、各通気路２の孔径が大きい大孔径段４と、各通気路３の孔径が小さい小孔径段５とが含まれるため、大孔径段４によって十分な通気性能が確保され、また、小孔径段５によって、吹き込んでくる雨雪の勢いをそぐことができるので、十分な通気性能を確保し得ると共に、雨雪の進入を確実に防止することが可能となる。
【００２６】
また、内部に空間部９を設ける場合は、更に、雨雪の吹込力が中間の空間部９によって緩衝され、殊に空間部にフィルターを配した場合には緩衝力が増し、その分、通気路を長くする必要がなくなり、全体をコンパクト且つ軽量なものとすることができ、材料コストを低減することが可能となる。
【００２７】
なお、図示した例では、通気材１は、上面板６から下面板７に向かって全体的に先細になるように形成されているが、必ずしもそのような形状である必要はない。
【００２８】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００２９】
【図１】本発明に係る通気材の構成例を示す図である。
【図２】図１におけるＡ−Ａ線（空間部９を切る線）断面図である。
【図３】図１におけるＢ−Ｂ線（空間部９を外れた線）断面図である。
【図４】本発明に係る通気材の製造方法例を示す図である。
【図５】従来の通気材の構成例を示す図である。
【図６】従来の通気材の他の構成例を示す図である。
【図７】従来の通気材の更に他の構成例を示す図である。
【符号の説明】
【００３０】
１      通気材
２、３  通気路
４      大孔径段
４ａ    大孔径段構成用段材
５      小孔径段
５ａ    小孔径段構成用段材
６      上面板
７      下面板
８      つなぎ材
９      空間部
９ａ    空間部形成用開口
９ｂ    空間部形成用開口
【図１】
2010053616.tif 000003
【図２】
2010053616.tif 000004
【図３】
2010053616.tif 000005
【図４】
2010053616.tif 000006
【図５】
2010053616.tif 000007
【図６】
2010053616.tif 000008
【図７】
2010053616.tif 000009